(57)【要約】【課題】メンテナンスのための回路操作器を有する遮断器を提供する。【解決手段】本発明の一実施形態による回路操作器を有する遮断器１００は、主回路を有する通電部１１０と、主回路から異常電流を検出する検出回路を有する検出部１２０と、主回路と検出回路を接離する回路操作器４００とを含み、回路操作器４００は、主回路と検出回路にそれぞれ接続されて互いに平行に配置される第１固定部４３０及び第２固定部４５０と、第１固定部４３０と第２固定部４５０間に回転可能に結合されて主回路と検出回路を接離する可動部４１０とを含む。【選択図】図４
2018137224.tif 000002
【特許請求の範囲】
【請求項１】
主回路を有する通電部と、
前記主回路から異常電流を検出する検出回路を有する検出部と、
前記主回路と前記検出回路を接離する回路操作器と、を含み、
前記回路操作器は、
前記主回路と前記検出回路にそれぞれ接続されて互いに平行に配置される第１固定部及び第２固定部と、
前記第１固定部と前記第２固定部間に回転可能に結合されて前記主回路と前記検出回路を接離する可動部と、を含むことを特徴とする、回路操作器を有する遮断器。
【請求項２】
前記第１固定部は、前記主回路又は前記検出回路のいずれか一方に接続される第１固定端子を含み、
前記第２固定部は、前記主回路又は前記検出回路の他方に接続され、前記第１固定端子に対向する第２固定端子を含む、請求項１に記載の回路操作器を有する遮断器。
【請求項３】
前記可動部は、
前記第１固定部と前記第２固定部間に回転可能に配置される回転部と、
前記回転部を貫通して設置され、前記回転部の回転によって前記第１固定端子及び前記第２固定端子に接離するように構成される可動端子と、を含む、請求項２に記載の回路操作器を有する遮断器。
【請求項４】
前記第１固定端子及び前記第２固定端子は、
前記可動端子の両側面に接触し、前記可動端子に対向する曲面を有する接触部と、
前記接触部を連結し、前記接触部を支持する連結部と、を含む、請求項３に記載の回路操作器を有する遮断器。
【請求項５】
前記接触部は、所定間隔で配置される一対からなり、前記一対の接触部間に前記可動端子が引き込まれるようにすることができる、請求項４に記載の回路操作器を有する遮断器。
【請求項６】
前記回転部には、円管又は円筒状の収容部が形成され、  前記可動部は、
前記収容部に挿入されるスプリングと、
前記スプリングの少なくとも一方の端部に配置され、前記第１固定部と前記第２固定部の少なくとも一方にそれぞれ対向する少なくとも１つのボールと、をさらに含む、請求項３に記載の回路操作器を有する遮断器。
【請求項７】
前記第１固定部と前記第２固定部の少なくとも一方は、前記回転部が回転する方向に前記ボールをガイドし、前記ボールにより前記スプリングに印加される圧力を制御するための屈曲形状のボールガイド部をさらに含む、請求項６に記載の回路操作器を有する遮断器。
【請求項８】
前記ボールガイド部は、前記ボールが停止できる空間を提供する凹部を有する、請求項７に記載の回路操作器を有する遮断器。
【請求項９】
前記回転部は、
前記可動端子が挿入設置される端子ホールと、
前記端子ホールの内壁から前記可動端子に対向して突出した突起部と、を含み、
前記可動端子は、
前記突起部を収容する挿入部を含む、請求項３に記載の回路操作器を有する遮断器。
【請求項１０】
前記回転部は、一部に形成される第１回転部より他部に形成される第２回転部の方が大きい直径を有するように形成され、
前記第１回転部の周囲に形成される第１外壁及び前記第２回転部の周囲に形成される第２外壁は、それぞれ前記第１固定部及び前記第２固定部を支持し、
前記第２外壁は、前記遮断器の外部に露出する、請求項３又は６に記載の回路操作器を有する遮断器。
【請求項１１】
前記第２外壁には、前記主回路と前記検出回路の接続状態又は分離状態を表示する表示部が設けられる、請求項１０に記載の回路操作器を有する遮断器。
【請求項１２】
前記可動部は、
前記第２外壁に配置されるハンドルをさらに含む、請求項１１に記載の回路操作器を有する遮断器。
【請求項１３】
前記第１固定部及び前記第２固定部の一側には、それぞれ前記ハンドル及び前記表示部の一部を外部に露出し、前記ハンドルの移動領域を提供するハンドルガイド部が形成される、請求項１２に記載の回路操作器を有する遮断器。
【発明の詳細な説明】
【技術分野】
【０００１】
本発明は、遮断器に関し、特にメンテナンスのための回路操作器を有する遮断器に関する。
【背景技術】
【０００２】
一般に、遮断器は、電源と負荷間に設置されて回路を開閉する。すなわち、遮断器は、回路から異常電流を検出して回路を遮断することにより、設備及び人命を保護する。このような遮断器は主回路と検出回路とを含む。主回路は実質的に回路の開閉のために提供され、検出回路は回路の状態検出のために提供される。ここで、検出回路が異常電流を検出することにより、主回路が回路を遮断することができる。
【発明の概要】
【発明が解決しようとする課題】
【０００３】
しかし、従来技術による遮断器は、主回路と検出回路を分離できない構造となっている。よって、メンテナンスのための点検が困難である。よって、遮断器において主回路と検出回路を分離できる構造が求められる。  
【０００４】
本発明は、このような問題を解決するためになされたものであり、遮断器のメンテナンスのために主回路と検出回路を分離できる回路操作器を有する遮断器を提供することを目的とする。
【課題を解決するための手段】
【０００５】
本発明の一実施形態による回路操作器を有する遮断器は、主回路を有する通電部と、前記主回路から異常電流を検出する検出回路を有する検出部と、前記主回路と前記検出回路を接離する回路操作器とを含み、前記回路操作器は、前記主回路と前記検出回路にそれぞれ接続されて互いに平行に配置される第１固定部及び第２固定部と、前記第１固定部と前記第２固定部間に回転可能に結合されて前記主回路と前記検出回路を接離する可動部とを含む。  
【０００６】
ここで、前記第１固定部は、前記主回路又は前記検出回路のいずれか一方に接続される第１固定端子を含み、前記第２固定部は、前記主回路又は前記検出回路の他方に接続され、前記第１固定端子に対向する第２固定端子を含む。  
【０００７】
また、前記可動部は、前記第１固定部と前記第２固定部間に回転可能に配置される回転部と、前記回転部を貫通して設置され、前記回転部の回転によって前記第１固定端子及び前記第２固定端子に接離するように構成される可動端子とを含む。  
【０００８】
さらに、前記第１固定端子及び前記第２固定端子は、前記可動端子の両側面に接触し、前記可動端子に対向する曲面を有する接触部と、前記接触部を連結し、前記接触部を支持する連結部とを含む。  
【０００９】
さらに、前記接触部は、所定間隔で配置される一対からなり、前記一対の接触部間に前記可動端子が引き込まれるようにすることができる。  
【００１０】
さらに、前記回転部には、円管又は円筒状の収容部が形成され、前記可動部は、前記収容部に挿入されるスプリングと、前記スプリングの少なくとも一方の端部に配置され、前記第１固定部と前記第２固定部の少なくとも一方にそれぞれ対向する少なくとも１つのボールとをさらに含む。  
【００１１】
さらに、前記第１固定部と前記第２固定部の少なくとも一方は、前記回転部が回転する方向に前記ボールをガイドし、前記ボールにより前記スプリングに印加される圧力を制御するための屈曲形状のボールガイド部をさらに含む。  
【００１２】
さらに、前記ボールガイド部は、前記ボールが停止できる空間を提供する凹部を有する。  
【００１３】
さらに、前記回転部は、前記可動端子が挿入設置される端子ホールと、前記端子ホールの内壁から前記可動端子に対向して突出した突起部とを含み、前記可動端子は、前記突起部を収容する挿入部を含む。  
【００１４】
さらに、前記回転部は、一部に形成される第１回転部より他部に形成される第２回転部の方が大きい直径を有するように形成され、前記第１回転部の周囲に形成される第１外壁及び前記第２回転部の周囲に形成される第２外壁は、それぞれ前記第１固定部及び前記第２固定部を支持し、前記第２外壁は、前記遮断器の外部に露出する。  
【００１５】
さらに、前記第２外壁には、前記主回路と前記検出回路の接続状態又は分離状態を表示する表示部が設けられる。  
【００１６】
さらに、前記可動部は、前記第２外壁に配置されるハンドルをさらに含む。  
【００１７】
さらに、前記第１固定部及び前記第２固定部の一側には、それぞれ前記ハンドル及び前記表示部の一部を外部に露出し、前記ハンドルの移動領域を提供するハンドルガイド部が形成される。
【発明の効果】
【００１８】
本発明の一実施形態による回路操作器を有する遮断器によれば、回路操作器を有するので、遮断器において主回路と検出回路を分離することができる。よって、遮断器のメンテナンスが容易である。また、回路操作器のハンドル及び表示部が遮断器の前面に露出しているので、操作が容易であり、主回路と検出回路の接離状態を肉眼で確認することが容易である。
【図面の簡単な説明】
【００１９】
【図１Ａ】本発明の一実施形態による遮断器の斜視図である。
【図１Ｂ】本発明の一実施形態による遮断器の正面図である。
【図２Ａ】図１Ａ及び図１Ｂに示す回路操作器の一部の詳細図であり、ハンドルの操作による表示部の表示を示すものである。
【図２Ｂ】図１Ａ及び図１Ｂに示す回路操作器の一部の詳細図であり、ハンドルの操作による表示部の表示を示すものである。
【図３】本発明の一実施形態による回路操作器の斜視図である。
【図４】図３に示す回路操作器の分解斜視図である。
【図５】図４に示す可動部の斜視図である。
【図６】図５に示す可動端子部と可動端子の拡大図である。
【図７Ａ】図４に示す第１固定部の斜視図である。
【図７Ｂ】図４に示す第１固定部の平面図である。
【図８】図７Ａに示す第１固定端子の拡大図である。
【発明を実施するための形態】
【００２０】
以下、本発明の一実施形態について添付図面を参照して説明する。しかし、これは本発明を特定の実施形態に限定するものではなく、様々な変更、均等物及び／又は代替物を含むものと理解されるべきである。添付図面を参照して説明するにあたって、類似の構成要素には類似の符号を付して説明する。  
【００２１】
本明細書で使用される「第１」、「第２」などの表現は、様々な構成要素を順序や重要度に関係なく修飾するものであり、１つの構成要素を他の構成要素と区別するために使用されるだけで、当該構成要素を限定するものではない。  
【００２２】
図１Ａ及び図１Ｂは本発明の一実施形態による遮断器の斜視図及び正面図である。図２Ａ及び図２Ｂは図１Ａ及び図１Ｂに示す回路操作器の一部の詳細図であり、ハンドルの操作による表示部の変化を示すものである。  
【００２３】
本発明の一実施形態による回路操作器を有する遮断器１００は、主回路を有する通電部１１０と、主回路から異常電流を検出する検出回路を有する検出部１２０と、主回路と検出回路を接離する回路操作器４００とを含み、回路操作器４００は、主回路と検出回路にそれぞれ接続されて互いに平行に配置される第１固定部４３０及び第２固定部４５０と、第１固定部４３０と第２固定部４５０間に回転可能に結合されて主回路と検出回路を接離する可動部４１０とを含む。  
【００２４】
本発明の一実施形態による遮断器１００は、通電部１１０、検出部１２０、開閉部１３０及び操作部１４０を含んでもよい。  
【００２５】
通電部１１０は、電源と負荷間の回路において通電のために提供される。電源と負荷間の回路及び／又は通電部１１０における電源又は負荷に接続される回路を主回路とする。このような通電部１１０は、固定接触子、可動接触子及び消弧部を含んでもよい。固定接触子は固定接点を含み、固定接点は回路にそれぞれ接続されるようにしてもよい。可動接触子は可動接点を含んでもよい。ここで、可動接点が固定接点に接触すると通電が行われ、可動接点が固定接点から分離されると通電が遮断される。消弧部は固定接点と可動接点の接離に伴うアークを消弧する。  
【００２６】
検出部１２０は、電源と負荷間の回路、すなわち主回路の状態を検出する。このとき、検出部１２０は、主回路から異常電流が発生するか否かを検出することができる。ここで、検出部１２０は、例えば過電流や短絡電流などを異常電流として検出する。  
【００２７】
開閉部１３０は、通電部１１０を制御する。このとき、開閉部１３０は、回路の状態に応じて可動接触子を制御することができる。開閉部１３０は、可動接触子を制御することにより、可動接点を固定接点に接触させるか又は固定接点から分離させる。ここで、開閉部１３０は、異常電流が発生すると可動接点を固定接点から分離させる。  
【００２８】
操作部１４０は、遮断器１００のメンテナンスのために提供される。操作部１４０とは、後述する回路操作器４００又は回路操作器４００の一部を意味する。このような操作部１４０は、ユーザの操作により、通電部１１０と検出部１２０を接離する。すなわち、遮断器１００のメンテナンスを行う際に、操作部１４０は通電部１１０と検出部１２０を分離する。従って、主回路と検出回路が分離される。一方、遮断器１００のメンテナンスが完了すると、操作部１４０は通電部１１０と検出部１２０を接続する。従って、主回路と検出回路が接続される。  
【００２９】
操作部１４０は、図２Ａ及び図２Ｂに示すように操作することができる。ここで、図２Ａに示すようにハンドル４２１を一方に回すと、操作部１４０は通電部１１０と検出部１２０を分離する（前述したように、本発明においては、通電部と検出部の接離は主回路と検出回路の接離と同じ意味で用いられる）。このとき、表示部４２２は分離状態であることを表示する。一方、図２Ｂに示すようにハンドル４２１を他方に回すと、操作部１４０は通電部１１０と検出部１２０を接続する。このとき、表示部４２２は接続状態であることを表示する。  
【００３０】
図３及び図４は本発明の一実施形態による回路操作器の斜視図及び分解斜視図である。図５は図４に示す可動部の斜視図であり、図６は図５に示す可動端子部と可動端子の拡大図である。また、図７Ａ及び図７Ｂは図４に示す第１固定部の斜視図及び平面図であり、図８は図７Ａに示す第１固定端子の拡大図である。  
【００３１】
回路操作器４００は、可動部４１０、第１固定部４３０、第２固定部４５０及び締結部材４７０を含んでもよい。本明細書においては、ｘ方向、ｙ方向及びｒ方向を次のように定義する（図４参照）。ｘ方向（ここで、ｘ軸は第１収容部４１３の中心を通る線である。）は、可動部４１０、第１固定部４３０及び第２固定部４５０が積層される方向を示す。ｙ方向（ｘ軸に対して放射方向）は、ｘ方向に垂直であり、可動部４１０、第１固定部４３０及び第２固定部４５０の内側から外側に延びる方向を示す。ｒ方向（ｘ軸に対して円周方向）は、可動部４１０の回転方向に対応する。ここで、ｒ方向は時計方向と反時計方向とを含む。  
【００３２】
可動部４１０は、第１固定部４３０と第２固定部４５０間に結合され、ｒ方向に回転する。このような可動部４１０は、回転部４１１、可動端子４１９、ハンドル４２１及び弾性部４２３を含んでもよい。  
【００３３】
回転部４１１は、第１固定部４３０と第２固定部４５０間に平行に配置されてもよい。回転部４１１は、第１固定部４３０と第２固定部４５０間に回転可能に設置される回転板で構成されてもよい。ここで、回転部４１１は、可動端子４１９、ハンドル４２１及び弾性部４２３を支持する。また、回転部４１１は、可動部４１０と第１固定部４３０及び第２固定部４５０間の絶縁を維持する。このために、回転部４１１の周縁部が第１固定部４３０及び第２固定部４５０に対向して突出するようにしてもよい。さらに、回転部４１１は、絶縁物質からなるようにしてもよい。このような回転部４１１は、収容部４１２及び可動端子部４１５を含んでもよい。  
【００３４】
回転部４１１は、円状、すなわち円盤状に形成されてもよい。回転部４１１は、一部より他部の方が大きい直径を有するように形成されてもよい。例えば、直径において一方の半円部より他方の半円部の方が大きい直径を有するように形成されてもよい。ここで、小径部を第１回転部４１１ａとし、大径部を第２回転部４１１ｂとする。第１回転部４１１ａの周縁部に第１外壁４１１ｃが突設され、第２回転部４１１ｂの周縁部に第２外壁４１１ｄが突設される。  
【００３５】
第２外壁４１１ｄの外周面には表示部４２２が形成される。表示部４２２は、遮断器１００の前面に露出する。表示部４２２には接続状態又は分離状態を示す標識が設けられる。一例として、表示部４２２にステッカーを貼り付けてもよい。  
【００３６】
収容部４１２は、回転部４１１の中央領域に配置されてもよい。ここで、収容部４１２は、回転部４１１を貫通して形成されてもよい。収容部４１２は、回転部４１１をｘ方向に貫通してもよい。また、収容部４１２は、所定の深さ（高さ）を有するように形成されてもよい。収容部４１２は、円管又は円筒状に形成されてもよい。このような収容部４１２は、第１収容部４１３及び第２収容部４１４を含んでもよい。第１収容部４１３は回転部４１１の中心に配置され、第２収容部４１４は第１収容部４１３に隣接して配置されてもよい。  
【００３７】
可動端子部４１５は、回転部４１１の縁部に配置されてもよい。可動端子部４１５は、第１収容部４１２を中心に所定角度離隔して配置される一対からなるようにしてもよい。また、可動端子部４１５は、端子ホール４１６、端子支持部４１６ａ、補助ホール４１７及び突起部４１８を含んでもよい。端子ホール４１６及び補助ホール４１７は、回転部４１１を貫通して形成されてもよい。ここで、端子ホール４１６及び補助ホール４１７は、回転部４１１をｘ方向に貫通してもよい。また、端子ホール４１６及び補助ホール４１７は、ｙ方向に垂直なスリット状に形成されてもよい。さらに、端子ホール４１６及び補助ホール４１７は、互いに隣接して配置されてもよい。突起部４１８は、端子ホール４１６において補助ホール４１７に隣接する内壁に配置され、端子ホール４１６の内側に突出してもよい。ここで、突起部４１８は、ｘ方向に垂直なｙ方向に突出してもよい。端子支持部４１６ａは、端子ホール４１６の周辺に突設されて可動端子４１９を支持する。  
【００３８】
可動端子４１９は、板状の導体からなる。可動端子４１９は、第１固定部４３０と第２固定部４５０に対向して、回転部４１１から突出してもよい。このために、可動端子４１９は、回転部４１１で可動端子部４１５に締結されるようにしてもよい。ここで、可動端子４１９は、端子ホール４１６を貫通するようにしてもよい。可動端子４１９は、ｙ方向に垂直に設置される。また、可動端子４１９は、縁部へ行くほど薄くなるようにしてもよい。例えば、可動端子４１９において、中央部の厚さは均一であり、中央部の厚さの方が縁部の厚さより厚くしてもよい。また、可動端子４１９において、縁部の厚さは端部へ行くほど薄くなるようにしてもよい。すなわち、可動端子４１９の縁部に面取り部４１９ａが形成されてもよい。  
【００３９】
可動端子４１９は、挿入部４２０を含んでもよい。挿入部４２０は、可動端子４１９の中央部に配置されてもよい。また、挿入部４２０は、可動端子４１９を貫通して形成されてもよい。例えば、挿入部４２０は、貫通孔で構成されてもよい。ここで、挿入部４２０は、可動端子４１９をｙ方向に貫通するようにしてもよい。よって、可動端子４１９が端子ホール４１６を貫通することにより、挿入部４２０に突起部４１８が挿入される。このために、補助ホール４１７は、挿入部４２０に突起部４１８が挿入されるように、挿入部４２０にテンションを与える。挿入部４２０に突起部４１８が挿入されることにより、可動端子４１９は端子ホール４１６から離脱しなくなる。  
【００４０】
ハンドル４２１は、可動部４１０の回転のためのユーザの操作のために提供される。すなわち、ハンドル４２１は、ユーザの操作により、可動部４１０に回転力を供給する。このために、ハンドル４２１は、回転部４１１の周囲領域、特に第２外壁４１１ｄに配置されるようにしてもよい。また、ハンドル４２１は、回転部４１１の外部に突出するようにしてもよい。さらに、ハンドル４２１は、表示部４２２の中央部に形成されるようにしてもよい。ここで、表示部４２２に設けられて接続状態又は分離状態を示す標識は、表示部４２２上でハンドル４２１の左右領域に区分して取り付ける。一例として、ハンドル４２１を中心に、可動部４１０の回転方向を識別するためのステッカーを貼り付ける。  
【００４１】
弾性部４２３は、可動部４１０の停止位置を設定して回転をサポートするために提供される。すなわち、弾性部４２３は、後述するボールガイド部４３９と共に働いて可動部４１０の移動領域又は停止領域を提供又は制限し、可動部４１０に供給される回転力を付勢することができる。このために、弾性部４２３は、収容部４１２のいずれかに配置されるようにしてもよい。ここで、弾性部４２３は、第２収容部４１４内に配置されてもよい。
【００４２】
このような弾性部４２３は、１つ以上のボール４２４と１つのスプリング４２５とを含んでもよい。ボール４２４は、第１固定部４３０と第２固定部４５０の少なくとも一方に対向して配置されてもよい。ここで、それぞれのボール４２４の少なくとも一部分が第２収容部４１４から第１固定部４３０又は第２固定部４５０に対向して突出してもよい。スプリング４２５は、第２収容部４１４に挿入されてもよい。ここで、スプリング４２５は、可動部４１０が第１固定部４３０と第２固定部４５０に結合されることにより圧縮される。一例によれば、２つのボール４２４が第１固定部４３０と第２固定部４５０のそれぞれに対向して配置される。この場合、スプリング４２５は、第２収容部４１４に挿入されてボール４２４間に配置される。よって、可動部４１０が第１固定部４３０と第２固定部４５０に結合されることにより、スプリング４２５がボール４２４間で圧縮される。他の例によれば、１つのボール４２４が第１固定部４３０と第２固定部４５０のいずれか一方に対向して配置される。この場合、スプリング４２５は、第２収容部４１４に挿入されて回転部４１１とボール４２４間に配置される。ここで、第２収容部４１４の一側は閉鎖されるようにしてもよい。よって、可動部４１０が第１固定部４３０と第２固定部４５０に結合されることにより、スプリング４２５が回転部４１１とボール４２４間で圧縮される。  
【００４３】
第１固定部４３０と第２固定部４５０とは、互いに締結されるようにしてもよい。ここで、第１固定部４３０と第２固定部４５０とは、ｘ方向に重なるように平行に配置され、縁部で互いに締結されるようにしてもよい。例えば、第１固定部４３０と第２固定部４５０とは、縁部で互いに噛み合って締結されるようにしてもよい。あるいは、第１固定部４３０と第２固定部４５０とは、いずれか一方が他方の内側で締結されるようにしてもよい。このために、第１固定部４３０及び第２固定部４５０は、それぞれの縁部が互いに対向して突出するようにしてもよい。すなわち、第１固定部４３０及び第２固定部４５０のそれぞれの縁部に外壁又は側壁が形成されてもよい。こうすることにより、第１固定部４３０と第２固定部４５０とは内部空間を形成する。よって、第１固定部４３０と第２固定部４５０とは内部空間に可動部４１０を収容して支持することができる。  
【００４４】
第１固定部４３０は、可動部４１０を基準として、第２固定部４５０の対向側に配置されてもよい。ここで、第１固定部４３０は、可動部４１０のｘ方向一側部に配置されてもよい。例えば、第１固定部４３０が可動部４１０の下部に、可動部４１０が第１固定部４３０の上部に配置されてもよい。このような第１固定部４３０は、第１ケース４３１及び第１固定端子４４５を含んでもよい。  
【００４５】
第１ケース４３１は、可動部４１０及び第２固定部４５０を支持する。また、第１ケース４３１は、可動部４１０と第１固定部４３０及び第２固定部４５０間の絶縁を維持する。このために、第１ケース４３１は、絶縁物質からなるようにしてもよい。このような第１ケース４３１は、第１ハンドルガイド部４３３、締結孔４３４、支持部４３５、ピボット４３７、ボールガイド部４３９、固定端子部４４３及び配線ガイド部４４４を含んでもよい。一例によれば、可動部４１０のボール４２４が第１固定部４３０に対向する場合、第１ケース４３１はボールガイド部４３９を含む。他の例によれば、可動部４１０のボール４２４が第１固定部４３０に対向しない場合、第１ケース４３１はボールガイド部４３９を含まない。  
【００４６】
第１ハンドルガイド部４３３は、第１ケース４３１の一側に配置されてもよい。第１ハンドルガイド部４３３は、ピボット４３７を基準として所定の角度で対称となる一対の傾斜壁で構成されてもよい。このような第１ハンドルガイド部４３３は、可動部４１０の第２外壁４１１ｄの一部を外部に露出する。従って、ハンドル４２１及び表示部４２２の一部が第１ケース４３１の外側に露出する。また、第１ハンドルガイド部４３３は、ハンドル４２１の移動領域を提供する。ここで、第１ハンドルガイド部４３３は、ｒ方向に、ハンドル４２１の移動領域を提供するようにしてもよい。よって、ハンドル４２１は第１ハンドルガイド部４３３の両傾斜壁間で移動できるようになる。ここで、可動部４１０の回転角度αは、可動部４１０の回転軸から第１ハンドルガイド部４３３の各傾斜壁に接するハンドル４２１の中心に延びる直線間の角度と定義される。  
【００４７】
締結孔４３４は、第１ケース４３１の縁部に配置されてもよい。ここで、締結孔４３４は、ｘ方向に形成されてもよい。また、締結孔４３４は、所定の深さを有するようにしてもよい。  
【００４８】
支持部４３５は、可動部４１０の回転部４１１に対向して配置されてもよい。支持部４３５は、可動部４１０の回転部４１１を支持する。ここで、支持部４３５は、収容部４１２と可動端子部４１５間で回転部４１１を支持するようにしてもよい。また、支持部４３５は、ｘ方向に突出するようにしてもよい。例えば、支持部４３５は、円状に形成されてもよい。ここで、支持部４３５の直径は、可動部４１０の回転部４１１の直径未満であってもよい。よって、支持部４３５の内側に可動部４１０の収容部４１２が配置され、支持部４３５の外側に可動部４１０の可動端子部４１５が配置されることになる。  
【００４９】
ピボット４３７は、支持部４３５の中央部に配置されてもよい。ここで、ピボット４３７は、可動部４１０の収容部４１２のいずれか一方に対向して突出するようにしてもよい。なお、ピボット４３７は、ｘ方向に突出するようにしてもよい。また、ピボット４３７は、所定の高さを有するようにしてもよい。よって、ピボット４３７は可動部４１０の収容部４１２のいずれか一方に挿入されることになる。ここで、ピボット４３７は、可動部４１０の第１収容部４１３に挿入されてもよい。よって、ピボット４３７が可動部４１０の回転軸となり、可動部４１０がピボット４３７を中心に第１固定部４３０に対して回転できるようになる。  
【００５０】
ボールガイド部４３９は、支持部４３５の内側領域に配置されてもよい。ボールガイド部４３９は、可動部４１０の収容部４１２の他方に対向して配置される。ここで、ボールガイド部４３９は、可動部４１０の第２収容部４１４に対向して配置されてもよい。すなわち、ボールガイド部４３９は、可動部４１０の弾性部４２３に対向して配置されてもよい。また、ボールガイド部４３９は、ボール４２４の移動領域を提供又は制限する。ここで、ボールガイド部４３９は、可動部４１０の回転角度αに基づいて、ボール４２４の移動領域を提供するようにしてもよい。このために、ボールガイド部４３９は、第１ハンドルガイド部４３３とピボット４３７間に配置されるようにしてもよい。  
【００５１】
さらに、ボールガイド部４３９は、屈曲形状に形成され、弾性部４２３においてスプリング４２５に印加される圧力を制御する。このようなボールガイド部４３９は、２つの凹部４４０と１つの凸部４４１とを含んでもよい。凹部４４０は、凸部４４１の両側に配置されてもよい。ここで、凹部４４０の最低点は、ピボット４３７から第１ハンドルガイド部４３３の各端部に延びる直線上に位置する。よって、ボール４２４の移動角度はハンドル４２１の移動角度と同一になる。凸部４４１は、凹部４４０間で湾曲形成されてもよい。よって、ボールガイド部４３９は、可動部４１０の回転角度内で、ボール４２４の移動をガイドすることができる。ボール４２４は、各凹部４４０で停止して接続状態又は分離状態を維持できるようになる。  
【００５２】
固定端子部４４３は、支持部４３５の外郭領域に配置されてもよい。固定端子部４４３は、ピボット４３７を中心に所定角度離隔して配置される一対からなるようにしてもよい。ここで、固定端子部４４３は、可動部４１０の可動端子部４１５に対向して配置されてもよい。また、固定端子部４４３は、凹状に形成されてもよい。ここで、固定端子部４４３は、ｘ方向に凹状に形成されてもよい。さらに、固定端子部４４３は、所定の深さを有するようにしてもよい。  
【００５３】
配線ガイド部４４４は、支持部４３５の外郭領域に配置されてもよい。ここで、配線ガイド部４４４は、固定端子部４４３に隣接して、配線の延長経路上に配列されてもよい。また、配線ガイド部４４４は、配線を固定するようにしてもよい。例えば、配線ガイド部４４４は、アーチ状に形成され、配線を貫通させるようにしてもよい。  
【００５４】
固定端子部４４３及び配線ガイド４４４には第１配線４４２が設置される。第１配線４４２は、主回路と検出回路のいずれか一方に接続される線である。  
【００５５】
第１固定端子４４５は、可動端子４１９に対向して配置されてもよい。ここで、第１固定端子４４５は、固定端子部４４３に締結されるようにしてもよい。このような第１固定端子４４５は、接触部４４６及び連結部４４７を含んでもよい（図８参照）。  
【００５６】
接触部４４６は、固定端子部４４３から露出してもよい。ここで、接触部４４６は、可動端子４１９に対向して突出するようにしてもよい。また、接触部４４６は、可動端子４１９に接触するようにしてもよい。ここで、接触部４４６は、可動端子４１９の両側面に接触するようにしてもよい。このような接触部４４６は、可動端子４１９に対向する曲面を有するようにしてもよい。ここで、可動端子４１９は、ｒ方向に回転して接触部４４６間に引き込まれるか又は接触部４４６間から引き出されるようにしてもよい。例えば、可動端子４１９は、時計方向に接触部４４６間に引き込まれ、反時計方向に接触部４４６から引き出されるようにしてもよい。ここで、接触部４４６は、可動端子４１９の引き込みを容易にするために、湾曲形状を有するようにしてもよい。さらに、接触部４４６の間隔は、可動端子４１９の厚さ未満であってもよい。よって、可動端子４１９が接触部４４６間に挿入されたとき接触圧力が加わる。  
【００５７】
連結部４４７は、接触部４４６を連結する。また、連結部４４７は、接触部４４６を支持する。このために、連結部４４７は、固定端子部４４３に締結されるようにしてもよい。ここで、連結部４４７の少なくとも一部分が固定端子部４４３に挿入されてもよい。さらに、連結部４４７は、配線に接続されてもよい。このような連結部４４７は、テンションホール４４８及び連結孔４４９を含んでもよい。テンションホール４４８は、連結部４４７において接触部４４６に隣接して配置されてもよい。また、テンションホール４４８は、連結部４４７においてｙ方向に延び、連結部４４７をｒ方向に貫通するようにしてもよい。ここで、テンションホール４４８の延長長さは、接触部４４６の間隔を超えるようにしてもよい。よって、テンションホール４４８は、可動端子４１９が接触部４４６間に引き込まれるか又は接触部４４６間から引き出されるように、接触部４４６にテンションを与えることができる。連結孔４４９は、配線との接続のために提供される。すなわち、第１配線４４２が配線ガイド部４４４を貫通して連結孔４４９に締結されるようにすることができる。  
【００５８】
第２固定部４５０は、可動部４１０を基準として、第１固定部４３０の対向側に配置されてもよい。ここで、第２固定部４５０は、可動部４１０のｘ方向他側部に配置されてもよい。例えば、第２固定部４５０が可動部４１０の上部に、可動部４１０が第２固定部４５０の下部に配置されてもよい。このような第２固定部４５０は、第２ケース４５１及び第２固定端子４６５を含んでもよい。  
【００５９】
ここで、第２固定部４５０の一部は、可動部４１０を基準として、第１固定部４３０と対称となる構造にしてもよい。この場合、第２固定部４５０は第１固定部４３０と同様に構成されるので、詳細な説明を省略する。ただし、第２ケース４５１の第２ハンドルガイド部４５３は、第１ケース４３１の第１ハンドルガイド部４３３に締結され、第１ハンドルガイド部４３３と共にハンドル４２１の移動領域を提供する。また、第２ケース４５１の締結孔４５４は、第１ケース４３１の締結孔４３４から延びる同一線上に配置され、ｘ方向に形成されてもよい。  
【００６０】
第２固定部４５０には第２配線４６２が配置される。第２配線４６２は第２固定端子４６５に接続される。第２配線４６２は、主回路と検出回路のうち第１配線４４２が接続されていない回路に接続される。  
【００６１】
第２ケース４５１の後方には延長部４５２が形成される。延長部４５２には各配線４４２、４６２をガイドするためのガイド及び配線ホール４５５が形成される。  
【００６２】
締結部材４７０は、第１固定部４３０と第２固定部４５０を結合する。ここで、締結部材４７０は、ｘ方向に、第１固定部４３０と第２固定部４５０を結合するようにしてもよい。締結部材４７０は、第１ケース４３１の締結孔４３４と第２ケース４５１の締結孔４５４に挿入される。ここで、締結部材４７０は、第２ケース４５１の締結孔４５４を貫通し、第１ケース４３１の締結孔４３４に締結されるようにしてもよい。  
【００６３】
本発明の一実施形態によれば、ユーザの操作に基づいて、ハンドル４２１は第１ハンドルガイド部４３３と第２ハンドルガイド部４５３内で移動する。これに対応して、第１固定部４３０と第２固定部４５０間で、可動部４１０に回転力が供給される。それにより、弾性部４２３のボール４２４がボールガイド部４３９において凹部４４０のいずれか一方から他方に移動する。このとき、弾性部４２３のボール４２４が凸部４４１を通過することにより、スプリング４２５からボール４２４に付勢力が与えられる。すなわち、ボール４２４によりスプリング４２５が圧縮され、スプリング４２５からボール４２４に押す力が作用する。従って、回転力と付勢力により、可動部４１０が第１固定部４３０と第２固定部４５０間で回転する。  
【００６４】
本発明の一実施形態によれば、可動部４１０が第１固定部４３０と第２固定部４５０間で回転することにより、可動端子４１９が接触部４４６間を移動する。すなわち、可動端子４１９が接触部４４６間に引き込まれるか又は接触部４４６間から引き出される。このとき、可動端子４１９が接触部４４６間に引き込まれることにより、可動端子４１９が接触部４４６に接触する。それにより、可動端子４１９が第１固定端子４４５及び第２固定端子４６５に接触し、配線４４２、４６２の通電が提供される。一方、可動端子４１９が接触部４４６間から引き出されることにより、可動端子４１９が接触部４４６から分離される。それにより、可動端子４１９が第１固定端子４４５及び第２固定端子４６５から分離され、配線４４２、４６２の通電が遮断される。例えば、第１固定端子４４５は検出部１２０に接続され、第２固定端子４６５は通電部１１０に接続されてもよい。よって、主回路と検出回路は接続又は分離される。  
【００６５】
よって、本発明の一実施形態においては、遮断器のメンテナンスが容易である。また、回路操作器のハンドル及び表示部が遮断器の前面に露出しているので、操作が容易であり、主回路と検出回路の接離状態を肉眼で確認することが容易である。  
【００６６】
本明細書で使用される用語は、単に特定の実施形態を説明するために使用されるものであり、本発明を限定するものではない。単数の表現は、特に断らない限り、複数の表現を含む。本明細書で使用される技術的、科学的用語を含む全ての用語は、本発明の属する技術の分野における通常の知識を有する者に一般的に理解される意味と同一の意味を有する。本明細書で使用される用語のうち、一般的な辞書に定義された用語は、関連技術の文脈上の意味と同一又は類似の意味で解釈されるべきであり、本明細書で明らかに定義しない限り、理想的又は過度に形式的な意味で解釈されるべきではない。場合によっては、本明細書で定義された用語であっても、本発明の実施形態を排除するように解釈されてはならない。
【符号の説明】
【００６７】
１００  遮断器
１１０  通電部
１２０  検出部
１３０  開閉部
１４０  操作部
４００  回路操作器
４１０  可動部
４１１  回転部
４１１ａ  第１回転部
４１１ｂ  第２回転部
４１１ｃ  第１外壁
４１１ｄ  第２外壁
４１２  収容部
４１５  可動端子部
４１６  端子ホール
４１７  補助ホール
４１８  突起部
４１９  可動端子
４２０  挿入部
４２１  ハンドル
４２２  表示部
４２３  弾性部
４２４  ボール
４２５  スプリング
４３０  第１固定部
４３１  第１ケース
４３３  第１ハンドルガイド部
４３５  支持部
４３７  ピボット
４３９  ボールガイド部
４４３  固定端子部
４４５  第１固定端子
４４６  接触部
４４７  連結部
４４８  テンションホール
４４９  連結孔
４５０  第２固定部
４５１  第２ケース
４５３  第２ハンドルガイド部
４６５  第２固定端子
４７０  締結部材
【図１Ａ】
2018137224.tif 000003
【図１Ｂ】
2018137224.tif 000004
【図２Ａ】
2018137224.tif 000005
【図２Ｂ】
2018137224.tif 000006
【図３】
2018137224.tif 000007
【図４】
2018137224.tif 000008
【図５】
2018137224.tif 000009
【図６】
2018137224.tif 000010
【図７Ａ】
2018137224.tif 000011
【図７Ｂ】
2018137224.tif 000012
【図８】
2018137224.tif 000013